(57)【要約】【課題】  内蔵回路とインレット間における接触不良などのトラブルの発生を回避するとともに、インレットの設計位置或いは回路基板の設計自由度、インレットの組立性、更には組付時の均質性を高める。【解決手段】  アウトレット２に着脱するピン部４ａ…とこのピン部４ａ…の後端から折曲延設した連結部５ａ…とこの連結部５ａ…の後端から折曲延設した少なくともカシメ部６ａｘ…によりリード線Ｗａ…を接続可能なリード接続部６ａ…とを一体形成した少なくとも二つのピンユニット部３ａ…と、後端面７ｒからアウトサートにより圧入したピン部４ａ…を保持するインレット基部７とを有するインレット２を備え、リード接続部６ａ…にリード線Ｗａ…の一端Ｗａｆ…をカシメ部６ａｘ…により接続するとともに、リード線Ｗａ…の他端Ｗａｓ…をＡＣアダプタ本体８の内蔵回路９に接続する。【選択図】  図１
2008097854.tif 000002
【特許請求の範囲】
【請求項１】
ＡＣ電源側に接続されるアウトレットが着脱するインレットを有するＡＣアダプタ用インレット装置において、前記アウトレットに着脱するピン部とこのピン部の後端から折曲延設した連結部とこの連結部の後端から折曲延設した少なくともカシメ部によりリード線を接続可能なリード接続部とを一体形成した少なくとも二つのピンユニット部と、後端面からアウトサートにより圧入した前記ピン部を保持するインレット基部とを有するインレットを備え、前記リード接続部に前記リード線の一端をカシメ部により接続するとともに、前記リード線の他端をＡＣアダプタ本体の内蔵回路に接続してなることを特徴とするＡＣアダプタ用インレット装置。
【請求項２】
前記リード接続部は、リード線に対するカシメ部による接続に加えてハンダ付部により接続してなることを特徴とする請求項１記載のＡＣアダプタ用インレット装置。
【請求項３】
前記インレット基部は、外面に、前記リード接続部を位置させる切欠面による接続部配置面を形成してなることを特徴とする請求項１又は２記載のＡＣアダプタ用インレット装置。
【請求項４】
前記インレット基部の後端面には、前記ピンユニット部の抜けを阻止する規制板を固定してなることを特徴とする請求項１又は３記載のＡＣアダプタ用インレット装置。
【発明の詳細な説明】
【技術分野】
【０００１】
本発明は、ＡＣ電源側に接続されるアウトレットが着脱するインレットを有するＡＣアダプタ用インレット装置に関する。
【背景技術】
【０００２】
一般に、ノート形パソコン等の小型電子機器は携帯性が重要視されるため、この種の電子機器に付属するＡＣアダプタの小型化（薄形化）も重要な課題となる。ＡＣアダプタは、ＡＣアダプタ本体から導出するＡＣ入力コード及びＤＣ出力コードを備えており、特に、ＡＣ入力コードは、一端にＡＣ電源に接続する電源プラグを有するとともに、他端にＡＣアダプタ本体に着脱するアウトレットを有し、このアウトレットがＡＣアダプタ本体に設けたインレットに着脱する。したがって、ＡＣアダプタ本体には比較的大きな部品となるインレットを内蔵し、このインレットはＡＣアダプタの小型化を図る上で無視できない存在となる。
【０００３】
このため、従来よりインレットの組付に係わる技術も提案されており、例えば、特開平２０００−７７１４３号公報には、商用電源に接続される電源プラグ（アウトレット）をインレットに挿入して、電子機器に電力を供給するＡＣアダプタにおいて、それに内蔵される電源回路基板の一部を切り欠き、インレット下端部は、切り欠き部にはまる凸部及び凹部を持ち、基板切欠部とインレット凹凸部をはめることによって全体を薄肉化したＡＣアダプタが開示されている。
【特許文献１】特開平２０００−７７１４３号
【発明の開示】
【発明が解決しようとする課題】
【０００４】
しかし、上述した従来のＡＣアダプタ（ＡＣアダプタ用インレット装置）は、次のような問題点があった。
【０００５】
第一に、ＡＣアダプタに内蔵する回路基板にインレットを直接マウントするため、回路基板とインレット間にトラブルを生じやすい。即ち、インレットに対してＡＣ入力コード（アウトレット）を着脱するため、着脱時における応力が少なからず回路基板とインレット間に付加され、長期使用により回路基板とインレット間に接触不良などのトラブルを生じやすい。
【０００６】
第二に、回路基板に固定したインレットをＡＣアダプタ本体のハウジングから外部に露出させるため、ハウジングにおけるインレットの設計位置が回路基板により制限され、設計自由度に劣るとともに、回路基板の組付位置に応じてハウジングにおけるインレットの組付位置が決まるため、インレットをハウジングの定位置に組付けにくいなど、組立性に難があり、しかも組付時の均質性を確保しにくい。
【０００７】
本発明は、このような背景技術に存在する課題を解決したＡＣアダプタ用インレット装置の提供を目的とするものである。
【課題を解決するための手段】
【０００８】
本発明は、上述した課題を解決するため、ＡＣ電源側に接続されるアウトレットＬが着脱するインレット２を有するＡＣアダプタ用インレット装置１を構成するに際して、アウトレット２に着脱するピン部４ａ，４ｂとこのピン部４ａ，４ｂの後端から折曲延設した連結部５ａ，５ｂとこの連結部５ａ，５ｂの後端から折曲延設した少なくともカシメ部６ａｘ，６ｂｘによりリード線Ｗａ，Ｗｂを接続可能なリード接続部６ａ，６ｂとを一体形成した少なくとも二つのピンユニット部３ａ，３ｂと、後端面７ｒからアウトサートにより圧入したピン部４ａ，４ｂを保持するインレット基部７とを有するインレット２を備え、リード接続部６ａ，６ｂにリード線Ｗａ，Ｗｂの一端Ｗａｆ，Ｗｂｆをカシメ部６ａｘ，６ｂｘにより接続するとともに、リード線Ｗａ，Ｗｂの他端Ｗａｓ，ＷｂｓをＡＣアダプタ本体８の内蔵回路９に接続してなることを特徴とする。
【０００９】
この場合、発明の好適な態様により、リード接続部６ａ，６ｂは、リード線Ｗａ，Ｗｂに対するカシメ部６ａｘ…による接続に加えてハンダ付部６ａｙ…により接続することができる。一方、インレット基部７には、外面に、リード接続部６ａ，６ｂを位置させる切欠面による接続部配置面１１ａ，１１ｂを形成することができる。さらに、インレット基部７の後端面７ｒには、ピンユニット部３ａ，３ｂの抜けを阻止する規制板１２を固定することができる。
【発明の効果】
【００１０】
このような構成を有する本発明に係るＡＣアダプタ用インレット装置１によれば、次のような顕著な効果を奏する。
【００１１】
（１）  リード接続部６ａ…を有するピンユニット部３ａ…とこのピンユニット部３ａ…を圧入するインレット基部７とを有するインレット２を備え、リード接続部６ａ…にリード線Ｗａ，Ｗｂをカシメ部６ａｘ…により接続するとともに、このリード線Ｗａ，ＷｂをＡＣアダプタ本体８の内蔵回路９に接続するため、インレット２に対してアウトレットＬを着脱しても内蔵回路９（回路基板）とインレット２間に応力が付加されることはなく、内蔵回路９とインレット２間における接触不良などのトラブルの発生を回避できる。
【００１２】
（２）  リード接続部６ａ…にカシメ部６ａｘ…によりリード線Ｗａ，Ｗｂを接続するとともに、このリード線Ｗａ，ＷｂをＡＣアダプタ本体８の内蔵回路９に接続することから、ハウジングにおけるインレット２の位置が内蔵回路９（回路基板）の影響を受けない。したがって、インレット２の設計位置或いは回路基板の設計自由度を高めることができるとともに、インレット２のハウジングに対する組付けが容易となり、組立性、更には組付時の均質性を高めることができる。
【００１３】
（３）  好適な態様により、リード線Ｗａ，Ｗｂに対するカシメ部６ａｘ…による接続に加えてハンダ付部６ａｙ…により接続するリード接続部６ａ…を設ければ、インレット２に対してリード線Ｗａ，Ｗｂをより確実かつ強固に接続できる。
【００１４】
（４）  好適な態様により、インレット基部７の外面に、リード接続部６ａ…を位置させる切欠面による接続部配置面１１ａ，１１ｂを形成すれば、インレット基部７の外面からリード接続部６ａ…が無用に突出する不具合を回避でき、ＡＣアダプタ本体８の更なる小型コンパクト化に寄与できる。
【００１５】
（５）  好適な態様により、インレット基部７の後端面７ｒに、ピンユニット部３ａ，３ｂの抜けを阻止する規制板１２を固定すれば、インレット２に対してアウトレットＬの着脱を繰返したり無理な着脱を行っても、インレット基部７に対してアウトサートにより圧入したピンユニット部３ａ，３ｂの抜けを確実に阻止でき、インレット２の耐久性向上に寄与できる。
【発明を実施するための最良の形態】
【００１６】
次に、本発明に係る最良の実施形態を挙げ、図面に基づき詳細に説明する。
【００１７】
まず、本実施形態に係るインレット装置１の構成について、図１〜図６を参照して説明する。
【００１８】
図２は、インレット装置１を備えるＡＣアダプタ２０を示す。このＡＣアダプタ２０は、ＡＣアダプタ本体８と、ＡＣアダプタ本体８の長手方向における一端面８ｓから導出するＤＣ出力コード２１と、ＡＣアダプタ本体８の長手方向における他端面８ｔに対して着脱するＡＣ入力コード２２を備える。なお、図２は、ＡＣ入力コード２２の一部、特に、一端におけるアウトレットＬのみを示す。したがって、アウトレットＬから導出する電源コード及びこの電源コードの他端における電源プラグの図示は省略した。この電源プラグは、ＡＣ電源（電源コンセント）に接続される。一方、ＡＣアダプタ本体８は、全体がハウジング２３により覆われ、このハウジング２３の内部に、ＡＣ−ＤＣ変換機能を有する内蔵回路９を構成する回路基板２４を配設するとともに、本実施形態に係るインレット装置１を配設する。
【００１９】
インレット装置１は、インレット２を備え、このインレット２の前面は、ＡＣアダプタ本体８の他端面８ｔを通して外部に露出させるとともに、インレット２は一対のリード線Ｗａ，Ｗｂを用いて内蔵回路９（回路基板２４）に接続する。上述したアウトレットＬは、このインレット２に対して着脱する。また、インレット２は、構成部品として、図５に示す一対のピンユニット部３ａ（３ｂ）、インレット基部７及び規制板１２を備える。
【００２０】
ピンユニット部３ａは、アウトレットＬに着脱するピン部４ａと、このピン部４ａの後端から直角に折曲延設した連結部５ａと、この連結部５ａの後端（上端）から直角に折曲延設したカシメ部６ａｘによりリード線Ｗａを接続可能なリード接続部６ａとを、全体がコの字形となるように金属導電材により一体形成する。この場合、ピン部４ａは、内部が中空の丸棒状に形成するとともに、先端を丸め、外周面には複数の抜止用突起を設ける。また、カシメ部６ａｘは、リード線Ｗａの芯線部を絞持する第一カシメ部６ａｘｐとリード線Ｗａの被覆部を絞持する第二カシメ部６ａｘｑを有する。この第一カシメ部６ａｘｐは、ハンダ付けすることによりリード線Ｗａの芯線部をリード接続部６ａに固定（接続）するハンダ付部６ａｙを兼ねている。なお、他方のピンユニット部３ｂもピンユニット部３ａと同じとなるため、二つのピンユニット部３ａ…を用意し、一方をピンユニット部３ａとして用いるとともに、他方をピンユニット部３ｂとして用いる。ピンユニット部３ｂにおいて、４ｂはピン部、５ｂは連結部、６ｂはリード接続部をそれぞれ示す。
【００２１】
インレット基部７は、合成樹脂等の絶縁材により全体を直方体状に一体成形し、前面が開口した凹状のアウトレット着脱部３１を有するとともに、後端面７ｒからアウトレット着脱部３１の内部に臨む貫通したピン取付孔３２ａ，３２ｂ（図６）を有する。したがって、このピン取付孔３２ａ，３２ｂにピンユニット部３ａ，３ｂのピン部４ａ，４ｂを挿入（圧入）することができる。一方、インレット基部７の両側面における前部には、前後一対のフランジ部により形成される係合スリット３３ａｓ，３３ｂｓを有する装着部３３ａ，３３ｂを設ける。インレット２をＡＣアダプタ本体８に組付ける際には、この装着部３３ａ，３３ｂをハウジング２３側に係合させて組付けることができる。また、インレット基部７の外面には、リード接続部６ａ，６ｂを位置させる切欠面による接続部配置面１１ａ，１１ｂを形成する。即ち、図４及び図６に示すように、インレット基部７の上面における左右の両端エッジを略４５〔゜〕にスライスした形状の接続部配置面１１ａ，１１ｂをインレット基部７の後端から前側へ所定長さにわたって形成する。さらに、インレット基部７の後端面７ｒには、図５及び図６に示すように、連結部５ａ，５ｂを収容する凹溝部３４ａ，３４ｂを形成する。他方、規制板１２は、合成樹脂等の絶縁材により一定の厚さを有するプレート状に形成し、その形状及び大きさは、インレット基部７の後端面７ｒに一致させる。
【００２２】
次に、本実施形態に係るインレット装置１の組立方法について、図１〜図６を参照して説明する。
【００２３】
まず、インレット２の組立てを行う。最初に、図５に示すインレット基部７、二つのピンユニット部３ａ，３ｂ及び規制板１２を用意するとともに、両端に芯線部を露出させた所定長さを有する二本のリード線Ｗａ，Ｗｂを用意する。
【００２４】
そして、ピンユニット部３ａのリード接続部６ａにリード線Ｗａの一端Ｗａｆを接続する。この場合、リード線Ｗａの芯線部をリード接続部６ａの第一カシメ部６ａｘｐに収容するとともに、リード線Ｗａの被覆部をリード接続部６ａの第二カシメ部６ａｘｑに収容し、所定のカシメ装置により第一カシメ部６ａｘｐ及び第二カシメ部６ａｘｑに対するカシメ処理を行うことにより、第一カシメ部６ａｘｐによりリード線Ｗａの芯線部を絞持するとともに、第二カシメ部６ａｘｑによりリード線Ｗａの被覆部を絞持する。また、第一カシメ部６ａｘｐとリード線Ｗａの芯線部に対してはハンダ付けを行うことによりハンダ付部６ａｙを設ける。このように、リード線Ｗａに対してカシメ部６ａｘｐ，６ａｘｑによる接続に加えてハンダ付部６ａｙにより接続するようにすれば、インレット２に対してリード線Ｗａをより確実かつ強固に接続できる。さらに、他方のピンユニット部３ｂのリード接続部６ｂに対しても上述したリード接続部６ａ側と同様にリード線Ｗｂの一端Ｗｂｆを接続する。
【００２５】
次いで、ピンユニット部３ａ，３ｂのピン部４ａ，４ｂを、インレット基部７に設けたピン取付孔３２ａ，３２ｂに後端面７ｒ側から挿入（圧入）する。この際、ピンユニット部３ａ，３ｂの連結部５ａ，５ｂを、後端面７ｒに設けた凹溝部３４ａ，３４ｂにそれぞれ収容するとともに、リード接続部６ａ，６ｂを、接続部配置面１１ａ，１１ｂにそれぞれ位置させる。このように、インレット基部７の外面に設けた切欠面による接続部配置面１１ａ，１１ｂにリード接続部６ａ，６ｂを位置させることにより、インレット基部７の外面からリード接続部６ａ，６ｂが無用に突出する不具合を回避でき、ＡＣアダプタ本体８の更なる小型コンパクト化に寄与できる。
【００２６】
また、規制板１２を、インレット基部７の後端面７ｒに高周波スポット溶接等により溶着して固定する。このような規制板１２をインレット基部７の後端面７ｒに固定することにより、インレット２に対してアウトレットＬの着脱を繰返したり無理な着脱を行っても、インレット基部７に対してアウトサートにより圧入したピンユニット部３ａ，３ｂの抜けを確実に阻止でき、インレット２の耐久性向上に寄与できる。以上により、図１及び図４に示すインレット２を得ることができる。
【００２７】
一方、組立の終了したインレット２は、図２に示すように、ＡＣアダプタ本体８のハウジング２３の内部に組付ける。この場合、ハウジング２３の長手方向における他端面８ｔには、インレット２を装着するための開口部８ｏが形成されているため、この開口部８ｏの縁部に、インレット２に設けた装着部３３ａ，３３ｂ（係合スリット３３ａｓ，３３ｂｓ）を係合させる。なお、ハウジング２３は上下に分割したハウジング半体の組合わせからなるため、装着部３３ａ，３３ｂは、予め一方のハウジング半体に装着する。また、インレット２から導出するリード線Ｗａ，Ｗｂの他端Ｗａｓ，Ｗｂｓを、図２に示すように、ＡＣアダプタ本体８の内蔵回路９を構成する回路基板２４の所定位置にハンダ付けにより接続する。以上の組立を経てインレット装置１が構成される。
【００２８】
よって、このような本実施形態に係るインレット装置１によれば、リード接続部６ａ…を有するピンユニット部３ａ…とこのピンユニット部３ａ…を圧入するインレット基部７とを有するインレット２を備え、リード接続部６ａ…にリード線Ｗａ，Ｗｂをカシメ部６ａｘ…により接続するとともに、このリード線Ｗａ，ＷｂをＡＣアダプタ本体８の内蔵回路９に接続するため、インレット２に対してアウトレットＬを着脱しても内蔵回路９（回路基板）とインレット２間に応力が付加されることはなく、内蔵回路９とインレット２間における接触不良などのトラブルを回避できる。また、リード接続部６ａ…にカシメ部６ａｘ…によりリード線Ｗａ，Ｗｂを接続するとともに、このリード線Ｗａ，ＷｂをＡＣアダプタ本体８の内蔵回路９に接続することから、ハウジングにおけるインレット２の位置が内蔵回路９（回路基板）の影響を受けない。したがって、インレット２の設計位置或いは回路基板の設計自由度を高めることができるとともに、インレット２のハウジングに対する組付けが容易となり、組立性、更には組付時の均質性を高めることができる。
【００２９】
以上、実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３０】
例えば、図７〜図１０に示す変更実施形態に係るインレット装置１も本発明に包含される形態である。図７（ａ）及び（ｂ）は、接続部配置面１１ａ，１１ｂを変更したインレット装置１の平面図及び背面図をそれぞれ示す。図７に示す接続部配置面１１ａ，１１ｂは、インレット基部７の外面における両側面を図７（ｂ）に示すように曲面形成し、インレット基部７の背面視形状が小判形となるように形成したものである。図７に示すインレット装置１は、インレット２を組付けるスペース状態に応じてリード接続部６ａ，６ｂを、インレット基部７の両側面における任意の位置を選択して配置できる利点がある。
【００３１】
また、図８（ａ）及び（ｂ）は、接続部配置面１１ａ，１１ｂを設けないインレット装置１の平面図及び背面図をそれぞれ示す。このため、図７に示すインレット装置１は、インレット基部７の外面における平面（上面）にリード接続部６ａ，６ｂを配置したものである。さらに、図９（ａ）及び（ｂ）も、接続部配置面１１ａ，１１ｂを設けないインレット装置１の平面図及び背面図をそれぞれ示し、インレット基部７の外面における両側面にリード接続部６ａ，６ｂをそれぞれ配置したものである。
【００３２】
一方、図１０は、規制板１２の固定方法を変更したインレット装置１を示す。図１０は、インレット基部７の後端面７ｒに断面がＬ形となる複数のガイド片４１ａ，４１ｂ，４１ｃ，４１ｄを一体形成し、このガイド片４１ａ…に対して規制板１２を矢印Ｆｓ方向からスライド式に差し込んで取付けるものである。なお、図７〜図１０において、図１〜図６に示した実施形態と同一部分には同一符号を付してその構成を明確にするとともに、その詳細な説明を省略する。
【図面の簡単な説明】
【００３３】
【図１】本発明の最良の実施形態に係るインレット装置における図３中Ａ−Ａ線断面図、
【図２】同インレット装置を備えるＡＣアダプタの一部断面平面図、
【図３】同インレット装置の一部断面正面図、
【図４】同インレット装置の平面図、
【図５】同インレット装置の一部断面を含む分解構成図、
【図６】同インレット装置におけるインレット基部の背面図、
【図７】本発明の変更実施形態に係るインレット装置の平面図及び背面図、
【図８】本発明の他の変更実施形態に係るインレット装置の平面図及び背面図、
【図９】本発明の他の変更実施形態に係るインレット装置の平面図及び背面図、
【図１０】本発明の他の変更実施形態に係るインレット装置の背面図、
【符号の説明】
【００３４】
１：インレット装置，２：インレット，３ａ：ピンユニット部，３ｂ：ピンユニット部，４ａ：ピン部，４ｂ：ピン部，５ａ：連結部，５ｂ：連結部，６ａ：リード接続部，６ｂ：リード接続部，６ａｘ…：カシメ部，６ａｙ…：ハンダ付部，７ｒ：後端面，７：インレット基部，８：ＡＣアダプタ本体，９：内蔵回路，１１ａ：接続部配置面，１１ｂ：接続部配置面，１２：規制板，Ｌ：アウトレット，Ｗａ：リード線，Ｗｂ：リード線，Ｗａｆ：リード線の一端，Ｗｂｆ：リード線の一端，Ｗａｓ：リード線の他端，Ｗｂｓ：リード線の他端
【図１】
2008097854.tif 000003
【図２】
2008097854.tif 000004
【図３】
2008097854.tif 000005
【図４】
2008097854.tif 000006
【図５】
2008097854.tif 000007
【図６】
2008097854.tif 000008
【図７】
2008097854.tif 000009
【図８】
2008097854.tif 000010
【図９】
2008097854.tif 000011
【図１０】
2008097854.tif 000012